(57)【特許請求の範囲】
【請求項１】
基地局装置を中継して他の複数の無線端末装置との間で通信を行う無線通信システムの無線端末装置において、
前記各無線端末装置は複数桁からなる個別の識別番号をそれぞれ１つずつ有し、前記識別番号は複数の階層からなり、且つ、
前記無線端末装置は、
入力番号の最上位階層の桁数が最上位階層の桁数と一致しないときは、入力番号の上位に「０」を入れて最上位階層の桁数と合わせる０サプレスを行い、その後、発信番号として入力された入力番号と自局の識別番号とを比較し、当該入力番号の桁数が自局の識別番号の桁数より少ない場合、自局の識別番号のうち最下位の桁から当該入力番号の桁数を除いた上位階層の番号を当該入力番号の上位階層の番号として当該入力番号に追加することで新たな発信番号を生成し、当該新たな発信番号に基づいて前記基地局装置に対して発信要求を行うことを特徴とする無線通信システムの無線端末装置。
【請求項２】
前記複数の階層の上位階層の番号が自局の識別番号と同一であり、下位階層の番号が不特定記号からなる着信番号を受信すると、自局への着信と判断する構成を有することを特徴とする請求項１記載の無線通信システムの無線端末装置。
【請求項３】
前記識別番号の階層を定義する階層定義情報を有し、前記階層定義情報を変更することによって前記識別番号の階層構造を可変する構成を有することを特徴とする請求項１または２記載の無線通信システムの無線端末装置。
【請求項４】
前記階層定義情報を前記基地局装置から通信回線を経由して受信し、前記基地局装置と常に同じ階層定義情報を保持する構成を有することを特徴とする請求項３記載の無線通信システムの無線端末装置。
【発明の詳細な説明】
【０００１】
【発明の属する技術分野】
本発明は、基地局装置を中継して複数の端末装置との間で通信を行う無線通信システムの無線端末装置に関するものである。
【０００２】
【従来の技術】
従来の通信システムでは、端末装置の個別番号またはグループ番号を示す識別番号は、１台の端末装置に対して１つの識別番号を有する形態であり、識別番号の番号体系は固定化されていた。また、端末装置および指令卓の個別番号またはグループ番号を示す識別番号の階層構造はシステムで固定的に定義され、変更することができないものであった。
【０００３】
【発明が解決しようとする課題】
１台の端末装置に対し１つの識別番号を有する形態は、１台の端末装置に対し複数のグループ番号などの識別番号を有する形態に対し、通信回線を通じて基地局装置に接続された管理装置から任意の端末装置のグループ番号を変えることや端末装置が変更したグループ番号を基地局装置に通知して更新することなどが可能となり、大変有用である。
【０００４】
これに対し、１台の端末装置に対し複数のグループ番号などの識別番号を持つ形態では、通信回線を通じて基地局装置に接続された管理装置から任意の端末装置のグループ番号を変えることや、端末装置が変更したグループ番号を基地局装置に通知して更新することが可能ではあるが、グループ番号などの情報を送るメッセージが大きくなり、通信回線の輻輳による接続遅延が発生してしまうという課題があり、実現が困難であった。
【０００５】
しかしながら、１台の端末装置に対し１つの識別番号を持つ形態では、複数の端末装置を様々な枠で呼び出しを行うような自由度が乏しかった。また、グループが階層構造を持つ場合、様々な規模のシステムの要望に応えるために、端末装置の台数およびそのグループ構成等の条件により階層構造を可変することが必要となり、かつその階層構造はシステム全体で同じものが使用されるようにすることが必要となる。さらに、そのうえで簡易な操作での呼び出しが行えるようにしなくてはならない。
【０００６】
本発明は、このような従来の課題を解決するためになされたもので、１台の端末装置に対し１つの識別番号を持つ形態において自由度および選択度が高い識別番号を形成し、しかも通信先の識別番号の入力操作が簡易な無線通信システムの無線端末装置を提供するものである。
【０００７】
【課題を解決するための手段】
本発明の無線通信システムの無線端末装置は、基地局装置を中継して他の複数の無線端末装置との間で通信を行う無線通信システムの無線端末装置であって、各無線端末装置が複数桁からなる個別の識別番号をそれぞれ１つずつ有し、且つ、識別番号は複数の階層からなり、無線端末装置が、入力番号の最上位階層の桁数が最上位階層の桁数と一致しないときは、入力番号の上位に「０」を入れて最上位階層の桁数と合わせる０サプレスを行い、その後、発信番号として入力された入力番号と自局の識別番号とを比較し、当該入力番号の桁数が自局の識別番号の桁数より少ない場合、自局の識別番号のうち最下位の桁から当該入力番号の桁数を除いた上位階層の番号を当該入力番号の上位階層の番号として当該入力番号に追加することで新たな発信番号を生成し、当該新たな発信番号に基づいて前記基地局装置に対して発信要求を行うものである。
【０００８】
この構成により、１台の端末装置が１つの識別番号を保持する構成において、自由度の高いグループ構成を構築することが可能となり、台数の多いシステムにおいても操作が簡略化されることとなる。
【０００９】
本発明の無線通信システムの無線端末装置の１つの態様では、複数の階層の上位階層の番号が自局の識別番号と同一であり、下位階層の番号が不特定記号からなる着信番号を受信すると、自局への着信と判断する構成を有するものである。
【００１０】
この構成により、１台の端末装置が１つの識別番号を保持する構成において、自由度の高いグループ構成を構築することが可能となり、台数の多いシステムにおいても操作が簡略化されることとなる。
【００１１】
また、本発明の無線通信システムの無線端末装置の１つの態様では、識別番号の階層を定義する階層定義情報を有し、階層定義情報を変更することによって識別番号の階層構造を可変する構成を有するものである。
【００１２】
この構成により、階層構造の定義を可変とすることにより、システム構成を変更した場合でも容易に識別番号の番号体系を合わせることができ、要求に合わせてシステムのグループなどの番号構成に選択性を持たせることが容易になることとなる。
【００１３】
また、本発明の無線通信システムの無線端末装置の１つの態様では、階層定義情報を基地局装置から通信回線を経由して受信し、基地局装置と常に同じ階層定義情報を保持する構成を有するものである。
【００１４】
この構成により、識別番号の階層構造の定義ファイルをシステム内で容易に共有化でき、変更も容易にできることとなる。
【００１５】
【発明の実施の形態】
以下、本発明の実施の形態について、図面を用いて説明する。
【００１６】
図１は、本発明による無線通信システムの一実施の形態を示すブロック図である。この通信システムは無線端末装置１、有線端末装置２、基地局装置３を備え、無線端末装置１と有線端末装置２は基地局装置３を中継して通信を行う構成となっている。
【００１７】
無線端末装置１は操作器１１を備え、操作者は任意の相手先番号を入力し、発信操作を行うことによって１つまたは複数の通信相手を選択して通信を行うことができる。操作器１１で入力された相手先番号は入力制御手段１２によって発信番号生成手段１３に送られる。
【００１８】
発信番号生成手段１３は入力制御手段１２から受け取った相手先番号と記憶装置１４から取得する自局識別番号および階層定義情報とで発信番号を生成し、無線回線制御部１６から基地局装置３へ発信する。
【００１９】
また、無線端末装置１は基地局装置３から着信すると、無線回線制御部１６から着信番号を着信判定手段１５に通知する。着信判定手段１５は基地局装置３から受け取った着信番号と記憶装置１４から取得する自局識別番号および階層定義情報とで着信判定を行い、自局が着信可の場合は通信に入り、自局が着信不可の場合は通信に入らない。
【００２０】
有線端末装置２は操作器２１を備え、操作者は任意の相手先番号を入力し、発信操作を行うことによって１つまたは複数の通信相手を選択して通信を行うことができる。操作器２１で入力された相手先番号は入力制御手段２２によって発信番号として発信番号生成手段２３に送られる。
【００２１】
発信番号生成手段２３は入力制御手段２２から受け取った相手先番号と記憶装置２４から取得する自局識別番号および階層定義情報とで発信番号を生成し、有線回線制御部２６から基地局装置３へ発信する。
【００２２】
また、有線端末装置２は基地局装置３から着信すると、有線回線制御部２６から着信番号を着信判定手段２５に通知する。着信判定手段２５は基地局装置３から受け取った着信番号と記憶装置２４から取得する自局識別番号および階層定義情報とで着信判定を行い、自局が着信可の場合は通信に入り、自局が着信不可の場合は通信には入らない。
【００２３】
基地局装置３は無線回線制御部３１によって無線端末装置１と通信を行い無線端末装置１からの発信要求を受けつけたり、無線端末装置１へ着信要求を行う。また、基地局装置３は有線回線制御部３３によって有線端末装置２と通信を行い有線端末装置２からの発信要求を受けつけたり、有線端末装置２へ着信要求を行う。
【００２４】
また、基地局装置３は無線端末装置１または有線端末装置２から受信した発信要求を、着信番号判定手段３２で着信番号と記憶装置３５から取得するシステム内の全端末装置の識別番号を保持する端末識別番号テーブルおよび階層定義情報とで、着信番号に該当する端末装置が端末識別番号テーブルに含まれるか判定を行う。有効な着信番号と判定した場合は、通信制御手段３４の制御によって着信要求を無線端末装置１または有線端末装置２に通和し、通信を開始する。
【００２５】
図２は、無線端末装置１および有線端末装置２の識別番号の番号体系例を示す図である。無線端末装置１および有線端末装置２は１つの識別番号を自局識別番号として保持し、基地局装置３はシステム内の全端末装置の識別番号を端末識別番号テーブルとして保持する。
【００２６】
図２に示す識別番号の体系は、１つの識別番号が６桁の数字、記号、文字などによって表現されるものとし、図の右側の下位桁から順に３桁（個別階層）、１桁（中グループ階層）、２桁（大グループ階層）という３つの階層で分けられている。
【００２７】
この階層の定義を階層定義情報によってシステム内で定義し、同一システム内の基地局装置３、無線端末装置１および有線端末装置２で共有することで各階層の番号に意味を持たせている。
【００２８】
図３は、識別番号の階層構造を定義する階層定義情報の一例を示す図である。図２に示す識別番号体系を例に取り、最上位の大グループ階層が２桁であることを示し、範囲は１〜９９とし、次の中グループ階層が１桁であることを示し、範囲は１〜９とし、次の個別階層の個別番号が３桁であることを示し、範囲は１〜９９９とし、さらに次の階層が０であることから識別番号の番号体系がその上位の個別番号までの階層であることを示す。また、各階層の桁数の合計が識別番号の総桁数６であることを示す。
【００２９】
この階層定義情報を、例えば各階層の数字のアスキーコードと数字の間を示すスペースコードを順に並べたものを階層定義ファイルとしてシステム内で定義しておき、同じ階層定義ファイルを同一システム内の無線端末装置１、有線端末装置２、基地局装置３で保持し、階層定義ファイルから読み出す階層定義情報により、識別番号の階層を認誠し、次に示すようなグループ体系を持つことを可能とする。
【００３０】
図４は、識別番号によるグループ構成例を示す図である。図２で示した識別番号体系において、４台の端末装置がそれぞれ識別番号「０１１００１」、「０１１００５」、「０１２００１」、「０１２００３」を持ち、識別番号「０１１００１」と「０１１００５」は下位から４桁目以上が同じ「０１１」なので、同じ中グループ「１＊＊＊」に属する。ここで、「＊」は省略を意味する不特定記号である。
【００３１】
また、識別番号「０１２００１」と「０１２００３」は下位から４桁目以上が同じ「０１２０」なので、同じ中グループ「２＊＊＊」に属する。そして、識別番号「０１１００１」、「０１１００５」、「０１２００１」、「０１２００３」は下位から５桁目以上が同じ「０１」なので、同じ大グループ「０１＊＊＊＊」に属する。
【００３２】
異なるグループ間の通信は行えるが、同じ大グループに属する端末装置は大グループ階層の下位から５桁目以上を省略し、４桁の番号入力で接続を行うことができる。また、同じ中グループに属する端末装置は中グループ階層の４桁目以上を省略して３桁の番号入力で接続を行うことができる。
【００３３】
また、同じグループ内の複数の端末装置をまとめて呼び出すこともできる。例えば、大グループ番号「０１＊＊＊＊」を入力して発信することで識別番号「０１１００１」、「０１１００５」、「０１２００１」、「０１２００３」の全ての端末装置を呼び出すことができ、中グループ番号「０１１＊＊＊」を入力して発信することで識別番号「０１１００１」、「０１１００５」の端末装置を呼び出すことができ、さらに中グループ番号「０１２＊＊＊」を入力して発信することで識別番号「０１２００１」、「０１２００３」の端末装置を呼び出すことができる。
【００３４】
次に、本実施の形態における無線通信システムの発信番号生成手順について、図５に示す処理フロー図を用いて説明する。なお、この処理は無線端末装置１および有線端末装置２の発信番号生成手段１３および２３において実行される。
【００３５】
まず、判定する階層のカウンタを示す変数ｎを初期化する（ステップＳ１）。次に、入力番号の桁数が下位から何階層までかを判断する（ステップＳ２）。３桁であれば個別階層（階層１）までであり、４桁であれば中グループ階層（階層２）までであり、６桁であれば大グループ階層（階層３）までである。
【００３６】
次に、入力桁数を含めてその階層より下位の階層は入力番号として設定し、それより上位の階層は自局識別番号の同じ桁の番号を入力して発信番号とする。例えば、入力番号が「００５」、自局識別番号が「０１１００１」であれば、発信番号は「０１１００５」とするということである。
【００３７】
この場合、入力桁数と階層とが一致しない場合は、入力番号の上位に「０」を入れて階層の桁数を合わせる０サプレスを行う。例えば、入力番号が「０５」であれば、これは個別階層までの桁数であるが、個別階層は３桁であるので、「００５」とするということである（ステップＳ３）。
【００３８】
こうして設定した発信番号を基地局装置３に送信して発信要求送信する（ステップＳ４）。
【００３９】
次に、本実施の形態における無線通信システムの着信番号判定手順について、図６に示す処理フロー図を用いて説明する。なお、この処理は無線端末装置１の発信番号生成手段１３および有線端末装置２の着信番号判定手段１５および２５において実行される。
【００４０】
まず、判定する階層のカウンタを示す変数ｎと、着信番号における省略を示す不特定記号の桁数を判定する変数ｉを初期化する（ステップＳ１１）。次に、着信番号における不特定記号の桁数を数える（ステップＳ１２）。
【００４１】
着信番号の１桁目に不特定記号が無い場合は（ステップＳ１３）、着信番号に不特定記号が無いと判断する。着信番号に不特定記号が有る場合は識別番号のどの階層までかを判断する（ステップＳ１４）。例えば、変数ｉが３であれば、個別階層（階層１）までが不特定記号と判断する。
【００４２】
次いで、不特定記号がある階層以下の桁は不特定記号の代わりに自局識別番号の同じ桁の番号を設定し着信番号とする（ステップＳ１５）。例えば、着信番号が「０１１＊＊＊」であり、自局識別番号が「０１２００１」であれば、「０１１００１」とするということである。
【００４３】
次いで、こうして編集した着信番号または不特定記号が無い着信番号が自局識別番号と同じであるかを判定する（ステップＳ１６）。同じである場合は着信可として着信応答を送信して通話に入り（ステップＳ１７）、同じで無い場合は着信不可として通話に入らない（ステップＳ１８）。
【００４４】
次に、図７に示すシーケンス図を参照しながら、識別番号の上位階層を省略した発信番号を発信した際の無線通信システムの動作について説明する。なお、以下の説明では、無線端末装置１を発信局とし、有線端末装置２を着信局として説明するが、その逆であってもよいことは勿論である。
【００４５】
まず、自局識別番号「０１１００１」の無線端末装置１が操作器１１から３桁の番号「００５」を入力すると（ステップＴ１）、発信局端末である無線端末装置１は入力された番号「００５」に発信番号生成手段１３で自局識別番号の上位階層の番号「０１１」を付加して発信番号「０１１００５」を生成し（ステップＴ２）、基地局装置３に対して発信要求を行う（ステップＴ３）。
【００４６】
基地局装置３はこの着信要求を着信局端末である有線端末装置２に通知する（ステップＴ４）。着信局端末では、着信番号「０１１００５」が自局識別番号と同じであることから、着信番号判定手段２５で着信可と判断し（ステップＴ５）、通話を開始する（ステップＴ６〜Ｔ７）。
【００４７】
こうして、同じ中グループに属する端末装置間では、６桁の識別番号の中の３桁の個別階層の番号を入力するだけで、着信端末を呼び出すことができる。
【００４８】
次に、図８に示すシーケンス図を参照しながら、識別番号の下位階層を省略した発信番号を発信した際の無線通信システムの動作について説明する。
【００４９】
まず、自局識別番号「０１１００１」の無線端末装置１の操作器１１から４桁の不特定番号「＊＊＊＊」を入力すると（ステップＴ１１）、発信局端末である無線端末装置１は入力された不特定番号「＊＊＊＊」に発信番号生成手段１３で自局識別番号の上位階層の番号「０１」を付加して発信番号「０１＊＊＊＊」を生成し（ステップＴ１２）、基地局装置３に対して発信要求を行う（ステップＴ１３）。
【００５０】
基地局装置３はこの着信要求を着信局端末である有線端末装置２に通知する（ステップＴ１４）。着信局端末では、着信番号「０１＊＊＊＊」が自局識別番号「０１１００５」を含むことから、着信番号判定手段２５で着信可と判断し（ステップＴ１５）、通話を開始する（ステップＴ１６〜Ｔ１７）。この場合、自局識別番号が「０１２００１」、「０１２００３」の端末装置も着信番号「０１＊＊＊＊」に含まれることから着信可と判断する。
【００５１】
こうして、同じ大グループに属する端末装置間では、６桁の識別番号の中の上位２桁の大グループ階層の番号を入力するだけで、大グループ内の複数の着信端末を呼び出すことができる。
【００５２】
以上のように、本実施の形態による無線通信システムは、端末装置の個別番号またはグループ番号を示す識別番号が、複数桁で構成されて複数の階層を持ち、それらの階層により階層毎のグループをまとめて指定した呼び出しを行うことができ、あるいは階層の上位の番号を省略して発信することができる。
【００５３】
また、その階層構造を示す情報を定義ファイルによって定義し、その定義ファイルを変更することによって、システムの階層構造を自由に変更することを可能とし、かつシステム内の全ての端末装置および基地局装置が共通の定義ファイルを保持することで同じ階層構造を持つことができる。これにより、１台の端末装置が１つの識別番号を保持する構成において、自由度の高いグループ構成を構築することが可能となり、台数の多いシステムにおいても操作が簡略化され、さらに階膚構造を可変とすることにより、システム構成を変更した場合も容易に識別番号の番号体系を合わせることができる。
【００５４】
【発明の効果】
以上説明したように、本発明は１台の端末装置が１つの識別番号を持つ通信システムにおいて、識別番号を階層構造とし、この階層構造を可変構造とすることで自由度の高いグループ構成を構築することができ、また、上位階層の番号を省略して入力することで同一グループ内の他の端末装置を指定することができ、逆に上位階層の番号のみを指定することで同一階層の端末装置のグループをまとめて指定して呼び出すことができるなど、簡易な操作で様々な形態の呼び出しを行うことが可能となり、端末台数が多く識別番号の桁数を大きくしなくてはならない通信システムにおいても、ほとんどの場合の発信操作における入力桁数を短縮することができる無線通信システムの無線端末装置を提供できるものである。
【図面の簡単な説明】
【図１】  本発明による無線通信システムの一実施の形態を示すブロック図
【図２】  識別番号の番号体系例を示す図
【図３】  識別番号の階層構造を定義する階層定義情報の一例を示す図
【図４】  識別番号によるグループ構成例を示す図
【図５】  発信番号生成手順を示す処理フロー図
【図６】  着信番号判定手順を示す処理フロー図
【図７】  識別番号の上位階層を省略した発信番号を発信した際の無線通信システムの動作を説明するシーケンス図
【図８】  識別番号の下位階層を省略した発信番号を発信した際の無線通信システムの動作を説明するシーケンス図
【符号の説明】
１  無線端末装置
２  有線端末装置
３  基地局装置
１１  操作器
１２  入力制御手段
１３  発信番号生成手段
１４  記憶装置
１５  着信番号判定手段
１６  無線回線制御部
２１  操作器
２２  入力制御手段
２３  発信番号生成手段
２４  記憶装置
２５  着信番号判定手段
２６  有線回線制御部
３１  無線回線制御部
３２  着信番号判定手段
３３  有線回線制御部
３４  通信制御手段
３５  記憶装置
【図１】
0004529256.tif 000002
【図２】
0004529256.tif 000003
【図３】
0004529256.tif 000004
【図４】
0004529256.tif 000005
【図５】
0004529256.tif 000006
【図６】
0004529256.tif 000007
【図７】
0004529256.tif 000008
【図８】
0004529256.tif 000009